(57)【特許請求の範囲】
【請求項１】
箱状の機体の対向する側面を機体開口面として機体吸込口と機体吹出口となる開口を設け、
前記機体の内部に羽根車をモータの回転軸に直結した遠心送風機と前記モータを駆動するインバータを設け、
前記機体には、前記羽根車に対する前記モータの位置と同じ側の側面にメンテナンス用開口を設け、
前記インバータは、前記モータよりも前記機体吹出口側であって、前記メンテナンス用開口を設けた側面に取り付けたインバータボックス内に納め、
前記遠心送風機を構成するファンケーシングのケーシング吸込口は、前記インバータボックスよりも前記機体吸込口側に位置する消音ボックス付送風機。
【請求項２】
インバータボックスと機体側面の間に防振材を配置する構成としたことを特徴とする請求項１記載の消音ボックス付送風機。
【請求項３】
インバータボックスに埃侵入防止用のインバータボックスカバーを設け、前記インバータボックスカバーに冷却用穴を開口する構成としたことを特徴とする請求項１または２記載の消音ボックス付送風機。
【発明の詳細な説明】
【技術分野】
【０００１】
本発明は、換気送風機器など消音ボックス内部に送風機を内蔵して使用される消音ボッ
クス付送風機のインバータ固定構造に関する。
【背景技術】
【０００２】
従来の消音ボックス付送風機は、風量を大幅に増加する場合、ベルト駆動で羽根車の回転数を増加したり、インバータ制御により羽根車の回転数を増加したり、１つの機体の中に２つのファンユニットを水平に配置していた。
【０００３】
（従来例１）
従来の消音ボックス付送風機は、ベルト駆動で羽根車の回転数を増加して、風量を増加していたものが知られている。（例えば、特許文献１参照）。
【０００４】
以下、その従来例について図４を参照しながら説明する。
【０００５】
図４に示すように、機体吸込口１０１と機体吹出口１０２を箱状の機体１０３の対向する側面に設け、機体１０３には、機体吸込口１０１に吸込側ダクト１０４を接続する吸込アダプター１０５、および機体吹出口１０２には、吹出側ダクト１０６を接続する吹出アダプター１０７を配している。機体吹出口１０２と吹出アダプター１０７の間には、ダンパー式風量調節部材１０８を配し、ダンパー式風量調節部材１０８は、スライド板１０９とガイド部１１０から構成されている。
【０００６】
モータ１１１を運転すると、プーリーベルト１１２を介して片吸込型遠心送風機１１３の羽根車の回転数は、モータ１１１の回転数に対して増速され、大きな風量を得ることができている。そして、機体１０３内部の吸込気流１１４は、スクロールケーシング１１５を通り、吐出口１１６から吐出気流１１７として流出する。また、吐出気流１１７をスライド板１０９に衝突させることで、風量を絞って調整する機能を有している。
【０００７】
一般的に、適切に動力伝達をして回転数を得るために、定期的なプーリーベルト１１２の張りの調整や交換が必要とされている構造である。
【０００８】
（従来例２）
また、他には、インバータ制御により羽根車の回転数を増加して、風量を増加していたものが知られている。（例えば、特許文献２参照）。
【０００９】
以下、その従来例について図５を参照しながら説明する。
【００１０】
図５に示すように、まず、従来例２で示す消音ボックス付送風機は、箱状のダクト状機体２０１に、室内の空気を吸い込む側の機体吸込口２０２に吸込側ダクト２０３、室外に空気を吹き出す側の機体吹出口２０４に吹出側ダクト２０５を接続して設置される。そして、ダクト状機体２０１の内部に遠心送風機２０６を配し、遠心送風機２０６は吐出口２０７と渦巻状のスクロール２０８とケーシング吸込口２０９を片面に設けたケーシング側板２１０を備えている。羽根車２１１は、ケーシング吸込口２０９近傍に固定したモータ２１２の回転軸２１３により駆動する。ダクト状機体２０１内には、吸込側風路２１４と吐出側風路２１５を区画する仕切り２１６を設け、電源接続用の電源端子台を兼ねているインバータ２１７をダクト状機体２０１内部の空気風路ではない部分である遠心送風機２０６のスクロール２０８の背面空間２１８に収納している。モータ２１２に対向するダクト状機体２０１の側面には点検用開口２１９が設けられている。
【００１１】
遠心送風機２０６を運転すると、インバータ２１７により電源周波数は変更されてモータ２１２の回転数は増速され、大きな風量を得ることができている。そして、気流は吸込側ダクト２０３を通って、仕切り２１６に沿って吸込側風路２１４を流れ、遠心送風機２
０６のケーシング吸込口２０９からスクロール２０８を通過後、吐出側風路２１５を仕切り２１６に沿って流れ、吹出側ダクト２０５から流出する。
【００１２】
一般的に、インバータ２１７は埃や周囲温度により寿命が左右されるため、インバータ２１７の定期的なメンテナンス・交換が必要とされている構造である。
【００１３】
（従来例３）
また、他には、１つの機体の中に２つのファンユニットを水平に配置して、風量を増加していたものが知られている。（例えば、特許文献３参照）。
【００１４】
以下、その従来例について図６を参照しながら説明する。
【００１５】
図６に示すように、機体３０１は互いに相対する二対の側面板３０２および上面板と下面板で構成し、側面板３０２の一方には吸込側ダクト３０３を連結する機体吸込口３０４を設け、他方には吹出側ダクト３０５を連結する機体吹出口３０６を備えている。そして、機体３０１の機体吸込口３０４側の側面板３０２と機体吹出口３０６側の側面板３０２との間を開口部３０７を有する仕切り板３０８で区画し、仕切り板３０８と、この仕切り板３０８の機体吸込口３０４側の側面板３０２の側に設けた位置規制部材３０９との間に、仕切り板３０８の開口部３０７にその吐出口３１０を合わせて位置を定めた２個の遠心送風機３１１を挟持して並列に固定している。この遠心送風機３１１は、機体３０１の一方の側面板３０２側に設けたメンテナンス用開口部３１２を介し、位置規制部材３０９を取り外すことにより、手前から順次遠心送風機３１１を取り外すことができる。
【００１６】
２つの遠心送風機３１１を運転すると、機体３０１の内部で遠心送風機３１１の２個分の風量が合流して、大きな風量を得ることができている。
【００１７】
一般的に、機体３０１内部で２つの遠心送風機３１１の負荷を均等にして、並列に対称な構造となっているがゆえに、メンテナンス時にはメンテナンス用開口部３１２から近い遠心送風機３１１−１の運転確認だけでなく、その遠心送風機３１１を取り外すことで、奥側の遠心送風機３１１−２の運転の確認が必要とされている構造である。
【先行技術文献】
【特許文献】
【００１８】
【特許文献１】特開平１１−２７０８８５号公報
【特許文献２】特開２０００−３１４３９８号公報
【特許文献３】実開昭６１−１２７３３５号公報
【発明の概要】
【発明が解決しようとする課題】
【００１９】
このような従来の消音ボックス付送風機では、風量を大幅に増加する場合、ベルト駆動で羽根車の回転数を増加したり、インバータ制御により羽根車の回転数を増加したり、１つの機体の中に２つのファンユニットを水平に配置しているため、狭い天井裏スペースでのベルトやインバータ、複数のファンユニットのメンテナンス性が悪いという課題があった。
【００２０】
本発明は、このような従来の課題を解決するものであり、インバータにより回転数を増加して大風量化する消音ボックス付送風機を形成する際、インバータを機体のメンテナンス用開口側に固定してメンテナンス性を確保しながらインバータへの振動伝播現象を防止することで、施工性とメンテナンス性をよくしながら耐久性を向上できる消音ボックス付送風機を提供することを目的とする。
【課題を解決するための手段】
【００２１】
本発明の消音ボックス付送風機は、上記目的を達成するために、
箱状の機体の対向する側面を機体開口面として機体吸込口と機体吹出口となる開口を設け、
前記機体の内部に羽根車をモータの回転軸に直結した遠心送風機と前記モータを駆動するインバータを設け、
前記機体には、前記羽根車に対する前記モータの位置と同じ側の側面にメンテナンス用開口を設け、
前記インバータは、前記モータよりも前記機体吹出口側であって、前記メンテナンス用開口を設けた側面に取り付けたインバータボックス内に納め、
前記遠心送風機を構成するファンケーシングのケーシング吸込口は、前記インバータボックスよりも前記機体吸込口側に位置するものである。
【発明の効果】
【００２２】
本発明によれば、箱状の機体の対向する側面を機体開口面として機体吸込口と機体吹出口となる開口を設け、前記機体の内部に羽根車をモータの回転軸に直結した遠心送風機と前記モータを駆動するインバータを設け、前記機体には、前記羽根車に対する前記モータの位置と同じ側の側面にメンテナンス用開口を設け、前記インバータは、前記モータよりも前記機体吹出口側であって、前記メンテナンス用開口を設けた側面に取り付けたインバータボックス内に納め、前記遠心送風機を構成するファンケーシングのケーシング吸込口は、前記インバータボックスよりも前記機体吸込口側に位置することにより、機体吸込口から羽根車に向かう気流がインバータボックスに衝突せず、インバータボックスの振動が小さくなるので、振動によるインバータの基板の破損を防止して耐久性を向上できるとともに、モータと同じ側にインバータを配置して、施工性とメンテナンス性を良化することができる。
【図面の簡単な説明】
【００２３】
【図１】本発明の実施の形態１の消音ボックス付送風機の側面図
【図２】同消音ボックス付送風機の平面図
【図３】同消音ボックス付送風機の設置状態を表す側面図
【図４】従来例１の消音ボックス付送風機の平面図
【図５】従来例２の消音ボックス付送風機の平面図
【図６】従来例３の消音ボックス付送風機の平面図
【発明を実施するための形態】
【００２４】
本発明に係る消音ボックス付送風機は、箱状の機体の対向する側面を機体開口面として機体吸込口と機体吹出口となる開口を設け、前記機体の内部に羽根車をモータの回転軸に直結した遠心送風機と前記モータを駆動するインバータを設け、前記機体には、前記羽根車に対する前記モータの位置と同じ側の側面にメンテナンス用開口を設け、前記インバータは、前記モータよりも前記機体吹出口側であって、前記メンテナンス用開口を設けた側面に取り付けたインバータボックス内に納め、前記遠心送風機を構成するファンケーシングのケーシング吸込口は、前記インバータボックスよりも前記機体吸込口側に位置するものであり、機体吸込口から羽根車に向かう気流がインバータボックスに衝突せず、インバータボックスの振動が小さくなるので、振動によるインバータの基板の破損を防止して耐久性を向上できるとともに、モータと同じ側にインバータを配置して、施工性とメンテナンス性を良化することができる。
【００２５】
また、インバータボックスと機体側面の間に防振材を配置する構成としたものであり、機体側面の振動がインバータボックスに伝わりづらくなるため、振動によるインバータの
基板の破損を防止して耐久性を向上できる。
【００２６】
また、インバータボックスに埃侵入防止用のインバータボックスカバーを設け、前記インバータボックスカバーに冷却用穴を開口する構成としたものであり、インバータ内部への埃の侵入を防止しながら熱がこもることを防止して耐久性を向上できる。
【００２７】
以下、本発明の実施の形態について、図面を参照しながら説明する。
【００２８】
（実施の形態１）
図１および図２に示すように、実施の形態１による消音ボックス付送風機は、箱状の機体８の対向する側面（機体開口面３）に機体吸込口１と機体吹出口２となる開口を設け、機体８の内部に、遠心送風機１１とインバータ１３を内蔵したものである。側面の一つ（機体側面７）にはメンテナンス用開口６を設けている。遠心送風機１１は、機体吹出口２に対向した吐出口１６と渦巻状のスクロール１７とケーシング吸込口１８を設けたケーシング側板１９を側面に配置したファンケーシング２０を備えている。本実施の形態では、遠心送風機１１は、２枚のケーシング側板１９の双方にケーシング吸込口１８を設けた、両吸込み型である。そして、羽根車９をモータ１０により直結して駆動するようにしている。
【００２９】
モータ１０は、羽根車９に対し、メンテナンス用開口６側の機体側面７側に設ける。さらに、インバータボックス１４は、モータ１０と機体吹出口２との間に配置し、メンテナンス用開口６を設けた機体側面７に取り付けられている。インバータボックス１４の内部には、モータ１０を駆動するインバータ１３が設けられる。
【００３０】
また、インバータボックス１４は、機体側面７に設けられた開口に、外側から挿入するようにして取り付けられる。このとき、インバータボックス１４の表側は、フランジ状に形成される。インバータボックス１４は、本体部分を機体８内部に挿入したとき、フランジ状の周縁部にて機体側面７にネジ止めなどで固定される。周縁部と機体側面７の間には、防振材３６を配置する。
【００３１】
また、インバータボックス１４には、外側から埃侵入防止用のインバータボックスカバー３７で表側を塞いでいる。そして、インバータボックスカバー３７には、冷却用穴３８が開口されている。
【００３２】
図３に示すように、遠心送風機１１を運転すると、室内２５の空気は、吸込側ダクト２６から吸い込まれ、遠心送風機１１を通過し、機体吹出口２を介し吹出側ダクト２７から屋外２８に排気される。機体８は、天井２９で室内２５と区分けされた天井裏３０に設置されており、天井２９には、メンテナンス用開口６からモータ１０を側面からメンテナンスするための天井点検口３１が設けられている。
【００３３】
さらに詳しくその動作について説明する。図２に示すように、機体８内部では、機体吸込口１から吸い込まれた気流３５は、ケーシング吸込口１８から遠心送風機１１のファンケーシング２０に吸い込まれる。このとき、ケーシング吸込口１８は、インバータボックス１４よりも機体吸込口１側に位置しているので、機体８内部の気流は、インバータボックス１４に直接衝突せずにケーシング吸込口１８に吸い込まれるのである。
【００３４】
すなわち、機体８内部の気流３５がインバータボックス１４に衝突することがないため、インバータボックス１４の振動が小さくなり、振動によるインバータ１３の基板の破損を防止して耐久性を向上できる。
【００３５】
また、インバータボックス１４と機体側面７の間に防振材３６を配置することにより、機体側面７の振動がインバータボックス１４に伝わりづらくなるため、振動によるインバータ１３の基板の破損を防止して耐久性を向上できる。なお、防振材３６はゴム材料やウレタン等の発砲材料を使用することが、構造の簡易化となるため、望ましい。
【００３６】
また、インバータボックス１４をインバータボックスカバー３７で蓋をするように塞ぎ、インバータボックスカバー３７に冷却用穴３８を開口することにより、インバータ１３内部への埃の侵入を防止しながら熱がこもることを防止する。そのため、インバータ１３の基板の破損を防止して耐久性を向上できる。なお、冷却用穴３８を開口したインバータボックスカバー３７が機体側面７側にあることは、万一の建物の漏水事故等で、水が機体天面４側に降り注いだ場合に、冷却用穴３８から水が侵入しづらく、インバータの保護となる効果もある。
【００３７】
このように本発明の実施の形態１の消音ボックス付送風機によれば、施工性とメンテナンス性を良化しながら、耐久性を向上することができることとなる。
【産業上の利用可能性】
【００３８】
換気送風機器などの空気搬送目的以外に、排気構造を用いて設備機器の冷却ができ、コンパクトに設置できる設備機器の送風等の用途にも適用できる。
【符号の説明】
【００３９】
１    機体吸込口
２    機体吹出口
３    機体開口面
４    機体天面
５    機体底面
６    メンテナンス用開口
７    機体側面
８    機体
９    羽根車
１０  モータ
１１  遠心送風機
１３  インバータ
１４  インバータボックス
３６  防振材
３７  インバータボックスカバー
３８  冷却用穴
【図１】
0005891343.tif 000002
【図２】
0005891343.tif 000003
【図３】
0005891343.tif 000004
【図４】
0005891343.tif 000005
【図５】
0005891343.tif 000006
【図６】
0005891343.tif 000007